(57)【要約】  医薬製品などの物品を収容し、保管し、陳列し、かつ移動させるためのパッケージ（１０００）。パッケージは、板紙（２００）に取り付け可能なレセプタクル（３００）を有する。取り付け可能なレセプタクルは、たとえば、１つまたは複数のブリスタカードを受け入れるためのクラムシェル（３２０）を有する。クラムシェルは、第１の端縁（３２５）を有する第１の部分（３２２）、および第１の端縁に対向する第２の端縁（３２７）を有する第２の部分（３２４）を有する。取り付け可能なレセプタクルは、破壊可能機構（３４２）を通して第２の端縁に少なくとも接続される延長部分（３４０／３５０）を有する。延長部分は、クラムシェルが破壊可能機構を破壊することによって板紙から分離され得るように、板紙の表面に取り付けられる。
2015515419.tif 000002
【特許請求の範囲】
【請求項１】
物品に関する情報が示される板紙と、
板紙に取り付け可能なレセプタクルであり、
第１の端縁を有する第１の部分、および第１の端縁に対向する第２の端縁を有する第２の部分を備えるクラムシェル、ならびに
破壊可能機構を通して少なくとも第２の端縁に接続される少なくとも１つの実質的に平坦な延長部分
を備えるレセプタクルと
を備える、物品のためのパッケージであって、
クラムシェルが破壊可能機構を破壊することによって板紙から分離され得るように、少なくとも１つの実質的に平坦な延長部分がクラムシェルを板紙に取り付けるように板紙の表面に取り付けられる、パッケージ。
【請求項２】
少なくとも１つの実質的に平坦な延長部分が、互いに長手方向に対向してクラムシェルの両側に配置される一対の翼を備える、請求項１に記載のパッケージ。
【請求項３】
少なくとも１つの実質的に平坦な延長部分が、板紙の表面にスポット溶接され、または面シールされる、請求項１に記載のパッケージ。
【請求項４】
クラムシェル内に受け入れられる少なくとも１つのブリスタカードをさらに備え、少なくとも１つのブリスタカードが、物品を載せるために凹状に形成された少なくとも１つのブリスタを有するブリスタシートを備える、請求項１に記載のパッケージ。
【請求項５】
少なくとも１つのブリスタカードが、少なくとも１つのブリスタの同じ側でブリスタシートに配置されるリブをさらに備える、請求項４に記載のパッケージ。
【請求項６】
少なくとも１つのブリスタが、ブリスタシートから直角に延在する第１の幅を有し、リブが、ブリスタシートから直角に延在する第２の幅を有する少なくとも１つの足部を備え、第２の幅は、ブリスタが互いを干渉することなく複数のブリスタカードがクラムシェル内に重ねられ得るように第１の幅等しいかまたはそれよりも大きい、請求項５に記載のパッケージ。
【請求項７】
ブリスタシートおよび周縁リブが、実質的にＡ字型である、請求項５に記載のパッケージ。
【請求項８】
クラムシェルが、Ａ字型のブリスタシートに実質的に合致する輪郭を有する、請求項７に記載のパッケージ。
【請求項９】
リブが、少なくとも１つのブリスタを少なくとも部分的に取り囲むように配置される、請求項５に記載のパッケージ。
【請求項１０】
クラムシェルが、第１の部分および第２の部分を枢動可能に接合するためのヒンジをさらに備える、請求項１に記載のパッケージ。
【請求項１１】
破壊可能機構が、複数の穿孔を備える、請求項１に記載のパッケージ。
【請求項１２】
クラムシェルは、クラムシェルが独立して立つことができるようにするための底部を備え、底部が、空隙によって間隔を置いて配置される一対の足を備える、請求項１に記載のパッケージ。
【請求項１３】
パッケージが板紙および板紙に取り付け可能なクラムシェルを備える、物品のためのパッケージの製造方法であって、
クラムシェルのための少なくとも１つの実質的に平面の延長部分を形成するステップと、
少なくとも１つの実質的に平面の延長部分を破壊可能機構を通してクラムシェルに接続するステップと、
クラムシェルを板紙に取り付けるように少なくとも１つの実質的に平面の延長部分を板紙の表面に取り付けるステップと、
を含む、方法。
【請求項１４】
形成するステップが、一対の翼形延長部分を形成するステップを含む、請求項１２に記載の方法。
【請求項１５】
接続するステップが、それぞれ複数の穿孔を通してクラムシェルのどちらに側にも翼形延長部分の対を接続するステップを含む、請求項１２に記載の方法。
【請求項１６】
取り付けるステップが、少なくとも１つの実質的に平面の延長部分を板紙の表面に少なくとも部分的にスポット溶接するステップ、またはヒートシールするステップを含む、請求項１２に記載の方法。
【発明の詳細な説明】
【技術分野】
【０００１】
本発明は、一般に、医薬品などの物品を収容し、保管し、陳列し、かつ移動させるためのパッケージの改良に関する。
【背景技術】
【０００２】
クラムシェルなどのパッケージは、通常、製品を保管し、陳列し、出荷し、ならびに製品に関する情報を見せる産業で使用されている。通常、ユーザがクラムシェルに収容された製品にアクセスしようと思っている場合には、ユーザはクラムシェルを破壊する必要があり、これはクラムシェルを再利用不可にする。通常、知られているクラムシェルは、それ自身で立っていることができず、これにより、クラムシェルを棚に配置することが困難になる。加えて、特に医薬品の領域では、パッケージが不正使用の証拠を妨げかつ／または提供することが望ましい。すなわち、パッケージは、不正使用の証拠の欠如（たとえば、視覚、触覚、等）、パッケージ内の製品が製造業者を離れて以後変更されていないということを保証すべきである。同様に、この種のパッケージに収容された製品は、エンドユーザを除いて誰にもアクセスできないことが望ましい。
【０００３】
したがって、物品、特に医薬品のための新しいパッケージを提供することが望ましく、これは、不正使用の証拠を妨げかつ／または提供し、物品の陳列を改善し、パッケージが自然に立っており、またはグループパッケージで立っている、たとえばトレイにグループをなして整列できるようになっており、パッケージを使用中に安定させることができるようになっており、かつエンドユーザがパッケージを同じまたは異なる物品について選択的に再利用できるようになっている。
【発明の概要】
【発明が解決しようとする課題】
【０００４】
本明細書において説明したように、本発明の例示的な実施形態は、当業界で知られている上記および他の欠点のうちの１つまたは複数を克服する。
【課題を解決するための手段】
【０００５】
本発明の例示的な態様は、物品のパッケージに関する。パッケージは、物品に関する情報が示されている板紙を含む。パッケージは、板紙に着脱可能に取り付け可能なレセプタクルをさらに含む。取り付け可能なレセプタクルはクラムシェルを含み、このクラムシェルは、第１の端縁を有する第１の部分、および第１の端縁に対向する第２の端縁を有する第２の部分を含む。取り付け可能なレセプタクルは、破壊可能機構を通して第２の端縁に少なくとも接続される少なくとも１つの実質的に平坦な延長部分をさらに含む。平坦な延長部分は、クラムシェルが破壊可能機構を破壊することによって板紙から分離され得るように、クラムシェルを板紙に取り付けるように板紙の表面に取り付けられる。
【０００６】
本発明によるパッケージは、さまざまな物品を収容するのに使用されることができ、この物品は、医薬品（たとえば、錠剤、丸薬、カプセル、等など）、食物（たとえば、キャンディ、クッキー、チューインガム、等など）、事務用品（たとえば、ペーパクリップ、バインダー、テープロール、等など）、ハードウェア品目（たとえば、ねじ、ボルト、釘、ナット、等など）、私物（たとえば、宝石、時計、等など）を含むが、これに限定されない。
【０００７】
一実施形態においては、パッケージは、クラムシェル内に受け入れられる１つまたは複数のブリスタカードをさらに含む。各ブリスタカードは、物品を載せるために凹状に形成された少なくとも１つのブリスタを有するブリスタシートを含む。ブリスタは、押通し裏当て材タイプのブリスタ、剥離押し型タイプのブリスタ、引裂きノッチタイプのブリスタ、または任意の他の適切なブリスタであることができる。
【０００８】
一実施形態においては、少なくとも１つの実質的に平坦な延長部分は、互いに相対して配置される一対の翼を含む。しかし、実質的に平坦な延長部分は、任意の適切な形状（たとえば、正方形、長方形、等など）、または望ましい形状（たとえば、文字、数字、符号または画像に似た形状など）から成ることができる。
【０００９】
一実施形態においては、少なくとも１つの実質的に平坦な延長部分は、板紙の表面にスポット溶接され、または面シールされる。
【００１０】
一実施形態においては、少なくとも１つのブリスタは、ブリスタシートから直角に延在する第１の幅を有し、リブが、ブリスタシートから直角に延在する第２の幅を有する少なくとも１つの足部を含み、第２の幅は、ブリスタが互いに接触することなく複数のブリスタカードがクラムシェル内に重ねられ得るように、第１の幅等しいかまたはそれよりも大きい。加えて、足部は、ブリスタ内の物品をその物品に加えられる力から保護し、パッケージの外力によって加えられる応力を分散する。
【００１１】
一実施形態においては、ブリスタシートおよび周縁リブは、実質的にＡ字型であり、クラムシェルは、Ａ字型のブリスタシートに実質的に合致する輪郭を有する。ブリスタシートおよび周縁リブは、任意の適切なまたは望ましい形状または輪郭から成ることができる。たとえば、ブリスタシートおよび周縁リブは、任意の数字またはアルファベットの形状、符号または画像に似た任意の形状、あるいはデザインの選択性に応じた任意の恣意的な形状から成ることができる。
【００１２】
一実施形態においては、リブは、少なくとも１つのブリスタを少なくとも部分的に取り囲むように配置される。しかし、リブは、存在しなくても、または希望通りブリスタを完全に取り囲んでもよい。
【００１３】
一実施形態においては、ブリスタカードは、少なくとも１つのブリスタの同じ側でブリスタシートに配置されるリブをさらに含む。
【００１４】
一実施形態においては、クラムシェルは、クラムシェルの第１の部分および第２の部分を枢動可能に接合するためのヒンジをさらに含む。クラムシェルは、第１の部分および第２の部分を接合するように、テープ、ステープル、等などの他の接続手段を含むことができる。あるいは、クラムシェルは、２つの物理的に分離した部分を含むことができ、これは、摩擦係合によって、または部分の幾何学的形状を通して一緒にスナップ嵌めされ得る。
【００１５】
一実施形態においては、破壊可能機構は、複数の穿孔、レーザスコアリング、局部的に弱くした材料、等を含むが、これに限定されない。
【００１６】
一実施形態においては、クラムシェルは、クラムシェルが独立して立つことができるようにするための底部を含む。底部は、第１の部分と第２の部分のどちらかで形成され得る。底部は、空隙によって間隔を置いて配置される一対の足を含む。
【００１７】
本発明のもう１つの例示的な態様は、物品のためのパッケージを製造する方法に関する。パッケージは、板紙および板紙に取り付けられるクラムシェルを含む。本方法は、クラムシェルのための少なくとも１つの実質的に平面の延長部分を形成するステップと、少なくとも１つの実質的に平面の延長部分を破壊可能機構を通してクラムシェルに接続するステップと、クラムシェルを板紙に取り付けるように少なくとも１つの実質的に平面の延長部分を板紙の表面に取り付けるステップとを含む。
【００１８】
一実施形態においては、形成するステップは、一対の延長部分、たとえば翼形延長部分を形成するステップを含む。たとえば、接続するステップは、それぞれ複数の穿孔を通してクラムシェルのどちらに側にも延長部分の対を接続するステップを含む。実質的に平坦な延長部分は、任意の適切なまたは望ましい形状または輪郭から成ることができる。
【００１９】
一実施形態においては、取り付けるステップは、少なくとも１つの実質的に平面の延長部分を板紙の表面に少なくとも部分的にスポット溶接するステップ、またはヒートシールするステップを含む。
【００２０】
本発明のこれらのおよび他の態様および利点は、添付の図面に関連して考慮される次の詳細な説明から明らかになるであろう。しかし、図面は、単に説明のために作成され、本発明の範囲の定義として作成されておらず、それについては、添付の特許請求の範囲が参照されるべきである。そのうえ、図面は、必ずしも正確な縮尺率で描かれたとは限らず、別段の指示がない限り、図面は、単に本明細書において説明した構造および手順を例示することを目的としている。
【図面の簡単な説明】
【００２１】
【図１】本発明の例示的な実施形態によるブリスタカードの斜視図である。
【図２】図１に示されるブリスタカードの背面立面図である。
【図３】本発明のもう１つの例示的な実施形態によるブリスタカードの斜視図である。
【図４】本発明のもう１つの例示的な実施形態によるブリスタカードの斜視図である。
【図５】本発明のもう１つの例示的な実施形態によるパッケージの斜視図である。
【図６】本発明のもう１つの例示的な実施形態によるクラムシェルを有する取り付け可能なレセプタクルの斜視図である。
【図７】図１に示されるブリスタカードの側立面図である。
【図８】図６に示されるクラムシェルの斜視図である。
【図９】本発明のもう１つの実施形態によるクラムシェルを有する取り付け可能なレセプタクルの斜視図である。
【図１０】図９に示される取り付け可能なレセプタクルの正立正面図である。
【図１１】本発明のもう１つの実施形態によるクラムシェルを有する取り付け可能なレセプタクルの斜視図である。
【図１２】図１１に示される取り付け可能なレセプタクルの正立正面図である。
【図１３】図１１に示される取り付け可能なレセプタクルの側立面図である。
【発明を実施するための形態】
【００２２】
図１は、本発明の例示的な実施形態によるブリスタカード１００の斜視図である。ブリスタカード１００は、実質的にＡ字型のブリスタシート１２０を含み、これは、医薬品、たとえば錠剤、丸薬、またはカプセルなどの、物品を載せるためにブリスタシート１２０の表面１２４から凹状に形成されたブリスタ１２２を有する。ブリスタカード１００は、ブリスタ１２２を少なくとも部分的に取り囲むために同じ表面１２４から直角に延在する実質的にＡ字型の周縁リブ１４０をさらに含む。リブ１４０は、連続することができ、または複数の分離した部分を含むことができる。リブ１４０は、ブリスタカード１００の下端部に配置される少なくとも１つの足部１４２（たとえば、図１に示される一対の足部１４２）を含む。
【００２３】
図２は、ブリスタカード１００の裏面を示している。ブリスタカード１００は、裏当て材１６０を含み、これは、ブリスタシート１２０の裏側を覆う。裏当て材１６０は、ユーザが裏当て材を通してブリスタ１２２から物品を押すことができるようになっており、それによって押通し裏当て材タイプのブリスタを形成するように選択される。ブリスタは、剥離押し型タイプのブリスタ、または引裂きノッチタイプのブリスタ、あるいは任意の非チャイルドレジスタントブリスタなどの、任意のチャイルドレジスタントブリスタであることができる。
【００２４】
ブリスタシートに対するブリスタの位置は、設計検討および当業者の要求に応じて変更され得る。たとえば、図３は、本発明のもう１つの実施形態によるブリスタカード１００’を示しており、そこでは、ブリスタ１２２’は、ブリスタシート１２０’のほぼ中央で実質的に水平に配置されている。図４は、本発明のもう１つの実施形態によるブリスタカード１００’’を示しており、そこでは、ブリスタ１２２’’は、ブリスタシート１２０’’のほぼ下端部で実質的に水平に配置されている。
【００２５】
ブリスタカード１００の形状および輪郭は、図１および図３〜図４に示された実施形態に限定されない。たとえば、ブリスタシート１２０およびリブ１４０の形状および輪郭は、長方形、正方形、長円形、円形であることができ、あるいは任意の他の文字、数字、または符号にならうことができる。
【００２６】
図５は、本発明のもう１つの態様による物品のためのパッケージ１０００の斜視図である。パッケージ１０００は、物品に関する情報が印刷されている板紙２００と、板紙２００に着脱可能に取り付け可能であり、かつブリスタカード１００のうちの１つまたは複数を受け入れるように構成されるレセプタクル３００とを含む。
【００２７】
取り付け可能なレセプタクル３００は、１つまた複数のブリスタカード１００を受け入れるためのクラムシェル３２０を含む。図６に最もよく示されるように、クラムシェル３２０は、第１の部分３２２および第２の部分３２４を含む。２つの部分３２２および３２４は、たとえば、ヒンジ３２６を通して互いに枢動可能に接合され得る。第１の部分３２２および第２の部分３２４は、テープ、ステープル、等などの他の接続手段を通して接合され得る。あるいは、クラムシェルは、２つの物理的に分離した部分を含むことができ、これは、摩擦係合によって、または部分の幾何学的形状を通して一緒にスナップ嵌めされ得る。
【００２８】
第１の部分３２２は、実質的に平面である第１の端縁３２３と、第１の端縁３２３から凹まされたカバー３２５とを含む。第２の部分３２４は、実質的に平面の第２の端縁３２７と、第２の端縁３２７によって実質的に取り囲まれた容器３２９とを含む。カバー３２５および容器３２９は、第１の部分３２２がクラムシェルを閉じるように第２の部分３２４に向かって枢動される場合に、カバー３２５が容器３２９内に受け入れられ、第１の端縁３２３が第２の端縁３２７に当接されるように寸法決めされ、それによって、クラムシェル内の中味の確実なエンクロージャを形成する。第１の端縁３２３は、粗い感触を出したタブ３３０を含み、これは、クラムシェルの開口および閉鎖を容易にする機構を提供するように第２の端縁３２７よりも先に延在する。
【００２９】
複数の（たとえば、２つまたは３つの）ブリスタカード１００が、クラムシェル３２０内に重ねられる。ブリスタカード１００の側立面図を示す図７に示されるように、ブリスタ１２２は、第１の横幅Ｗ１を有し、足部１４２は、２つの隣接するブリスタカードの間のスペーサとして役立つための第２の横幅Ｗ２を有する。第２の横幅Ｗ２は、複数のブリスタカード１００がクラムシェル３２０内に重ねられる場合にブリスタカードが妨害し合うことを阻止されるように、第１の横幅Ｗ１に等しいかまたはそれよりも大きく、それによって、物品のすっきりとした外観を与え、ブリスタカードをクラムシェル内に安定化させる。そのうえ、足部は、潜在的に物品に加えられることがある力を分散することによってブリスタに受け入れられる物品を保護する。
【００３０】
図８は、板紙２００に取り付けられる前の取り付け可能なレセプタクル３００を示している。取り付け可能なレセプタクル３００は、破壊可能機構３４２を通してクラムシェル３２０に着脱可能に接続される少なくとも１つの実質的に平面の延長部分３４０をさらに含む。
【００３１】
延長部分３４０は、任意の適切なまたは望ましい形状または輪郭から成ることができる。示された実施形態においては、取り付け可能なレセプタクル３００は、互いに長手方向に対向する、クラムシェル３２０の両側に配置される一対の翼形延長部分３５０を含む。翼形延長部分３５０は、破壊可能機構３４２を通してクラムシェル３２０の第２の部分３２４の少なくとも第２の端縁３２７に接続される。
【００３２】
取り付け可能なレセプタクル３００は、平面の延長部分２４０を表面２２０に取り付けることによって板紙２００の（図５に示される）表面２２０に取り付けられ得る。取り付け可能なレセプタクル２００は、プラシチック材料からできていることができ、平面の延長部分２４０は、表面２２０に部分的にまたは完全にスポット溶接され、または面シールされ得る。また、平面の延長部分２４０は、破壊可能機構３４２を通して第１の端縁３２３にも第２の端縁３２７にも接続され得る。
【００３３】
破壊可能機構３４２により、正当なエンドユーザは、クラムシェル２００がその全機能を維持した状態で再利用され得るように、クラムシェルの完全性を危うくすることなくクラムシェル３２０を板紙２００から意図的に分離できるようになっている。たとえば、クラムシェルは、クラムシェルの以前の中味と異なる物品を収容するのに再利用され得る。そのうえ、破壊可能機構３４２を破壊すると、パッケージの不正使用の明白な特徴部が提供される。
【００３４】
示された実施形態においては、破壊可能機構３４２は、複数の穿孔３６０を含む。しかし、破壊可能機構３４２は、本発明から逸脱することなく、たとえばレーザスコアリング、局部的に弱くした材料、等などのさまざまな手段を含むことができる。加えて、破壊可能機構３４２は、盗難防止特徴部を提供するように選択的に設計され、形成され得る。たとえば、穿孔３６０のパターンは、クラムシェル３２０の頂部からよりコンパクトな穿孔を有するように設計されることができ、これは、クラムシェルの剥ぎ取りを始めるためにクラムシェルの頂部から加えられる余分な力を必要とする。また、レーザスコアリングまたは局部的に弱くした材料は、剥ぎ取り操作を始めるために特別の努力を必要とするように選択的に設計され得る。
【００３５】
いったん取り付け可能なレセプタクル３００が図５に示されるように板紙２００に取り付けられると、携帯用のパッケージ１０００が形成され、それにより、ユーザは、破壊可能機構３４２を破壊することによって板紙１００からクラムシェル３２０を分離できるようになっている。分離されたクラムシェル３２０は、再閉鎖可能かつ再利用可能であり、それにより、ユーザは、複数回、医薬品などの収容された物品にアクセスできるようになっている。粗い感触を出したタブ３３０を設けることにより、ユーザは、便利にクラムシェル３２０を開閉できるようになっている。
【００３６】
図９および図１０は、本発明のもう１つの実施形態による取り付け可能なレセプタクル３００’を示している。取り付け可能なレセプタクル３００’は、クラムシェル３２０’を含み、これは、クラムシェル３２０と同一であるかまたは類似している。取り付け可能なレセプタクル３００’は、一対の翼形延長部分３５０’をさらに含み、これは、複数の穿孔３６０’を通してクラムシェル３２０’に接続される。この実施形態においては、翼形延長部分３５０’の下端部は、クラムシェル３２０’の下端部の上方に配置され、穿孔３６０’は、クラムシェル３２０’の中央部分において延在する。当業者は、穿孔のパターンが設計検討に応じて、対称、非対称、またはそれらの組合せであるように設計され得ることを理解している。
【００３７】
示された実施形態においては、クラムシェル３２０は、Ａ字型のブリスタカード１００に実質的に合致する輪郭を有するが、輪郭は、任意の適切な形状であってもよい。クラムシェルは、これに限定されるものではないが、正方形、長方形、三角形、円形、長円形、等を含むさまざまな形状を有することができる。加えて、クラムシェルは、任意の数字、文字、符号、動物、または物体の輪郭にならうように設計され得る。クラムシェル３２０の寸法、特にクラムシェルの横寸法は、クラムシェルまたはパッケージ１０００が棚にそれ自体立っていることができるように選択され、これは、パッケージをまとめるためのより多くの選択肢をユーザに提供する。
【００３８】
板紙２００は、開口２４０を有することができ、これは、パッケージの係留機構になる。たとえば、開口２４０は、ソンブレロスロットまたは円孔の形をしていることができる。あるいは、開口は、着脱可能な紙材料で満たされてもよく、または全く与えられなくてもよい。
【００３９】
図１１〜図１３は、本発明のもう１つの実施形態による取り付け可能なレセプタクル４００を示している。取り付け可能なレセプタクル４００は、板紙２００に取り付けられ得る。取り付け可能なレセプタクル４００は、１つまたは複数のブリスタカードを受け入れるためのクラムシェル４２０と、破壊可能機構、たとえば複数の穿孔４４２および４５２を通してクラムシェル４２０に着脱可能に接続される一対の実質的に平面の延長部分４４０および４５０とを含む。
【００４０】
クラムシェル４２０は、たとえばカバー部分４１０および容器部分４３０を含み、これらは、物品（たとえば、ブリスタカード１００など）を収容するための２つの部分の間に空間を画定するように、ヒンジ４１２（たとえば、穿孔ヒンジ（ｐｅｒｆｅｄ  ｈｉｎｇｅ）またはミシン目付きヒンジなど）を通して互いに枢動可能に接続される。カバー部分４１０は、第１の実質的に平面の端縁４１４を含み、これは、カバー部分４１０を実質的に取り囲む。容器部分４３０は、第２の実質的に平面の端縁４３４を含み、これは、カバー部分４１０および容器部分４３０が互いに出会うようにヒンジ４１２を通して枢動される場合に、クラムシェルの実質的に平面のフランジ領域４２４を画定するように第１の端縁４１４に対向し当接する。平面のフランジ領域４２４は、クラムシェル３２０のそれと比べて、ユーザがクラムシェルを開く必要がある場合にユーザにより良好なグリップを提供するように比較的幅広である。クラムシェルは、粗い感触を出したタブ４２６をさらに含み、これは、第１の平面の端縁４１４および／または第２の平面の端縁４３４で形成され得る。たとえば、粗い感触を出したタブ４２６は、複数のディンプルまたは隆起ナブを含むことができ、これらは、クラムシェル４２０の把持および開口をさらに容易にするために、クラムシェル３２０のそれらと比べてより大きく、より広く配置される。
【００４１】
そのうえ、クラムシェル４２０は底部４６０を含み、これにより、クラムシェルの性能が独立して立つことができるようになっており、またはそれがさらに増強される。底部４６０は、クラムシェルのどちらかの部分で形成されることができ、空隙４８０によって間隔を置いて配置される一対の対向する足４７０を含む。クラムシェルの足の数および足の寸法、および空隙は、クラムシェルが使用される環境に応じて調整され得る。
【００４２】
Ａ字型のブリスタカードおよびクラムシェルを含む、本発明によるパッケージは、医薬品などの物品販売を容易にし、それのブランド認知を向上させる。
【００４３】
本発明のさまざまな特定の実施形態に適用される本発明の特徴が、示され説明されてきた。また、示された装置の形態および詳細、およびそれらの操作についてさまざまな省略、置換、および変更が、本発明の趣旨から逸脱することなく当業者によって行われ得ることが理解されよう。たとえば、同じ結果を達成するように実質的に同じ方法で実質的に同じ機能を実行するこれらの要素および／または方法ステップの組合せはすべて、本発明の範囲内にあることが明白に意図されている。そのうえ、本発明の任意の開示された形態または実施形態に関して示されかつ／または説明された構造および／または要素および／または方法ステップは、デザイン選択の一般事項として任意の他の、開示され、説明されまたは提案された形態や実施形態に組み込まれ得ることを認識されたい。したがって、本発明は、本明細書に添付された特許請求の範囲によって示されるようにのみ限定されるべきである。
【図１】
2015515419.tif 000003
【図２】
2015515419.tif 000004
【図３】
2015515419.tif 000005
【図４】
2015515419.tif 000006
【図５】
2015515419.tif 000007
【図６】
2015515419.tif 000008
【図７】
2015515419.tif 000009
【図８】
2015515419.tif 000010
【図９】
2015515419.tif 000011
【図１０】
2015515419.tif 000012
【図１１】
2015515419.tif 000013
【図１２】
2015515419.tif 000014
【図１３】
2015515419.tif 000015
【国際調査報告】
2015515419.tif 000016
2015515419.tif 000017
2015515419.tif 000018
2015515419.tif 000019
2015515419.tif 000020